(57)【要約】【課題】治療部位をピンポイントでかつ速やかに押圧して治療することができ、使い勝手に優れた押圧治療具を提供する。【解決手段】本体部100と、本体部の先端支持部101内に前後に摺動可能に支持されるとともに治療部位に押し当てる押圧部111を先端に備える押圧軸110と、本体部の後端に装着される押圧グリップ120と、本体部の内部で押圧軸110の後方に配置される加圧スプリング130と、押圧グリップ120の回し操作により加圧スプリング130の加圧力を調整する加圧調整手段123を備える。押圧軸110を、先端支持部101内に支持される軸本体部112と、軸本体部に着脱可能で先端に押圧部111を備える軸先端部113から構成する。【選択図】図１
2018000429.tif 000002
【特許請求の範囲】
【請求項１】
本体部と、本体部の先端支持部内に前後に摺動可能に支持されるとともに被験者の治療部位に押し当てる押圧部を先端に備える押圧軸と、本体部の後端に装着される押圧グリップと、本体部の内部で押圧軸の後方に配置される付勢部材を備え、前記押圧軸が、本体部の先端支持部内に前後に摺動可能に支持される軸本体部と、軸本体部に着脱可能に支持されるとともに先端に押圧部を備える軸先端部を備えることを特徴とする押圧治療具。
【請求項２】
押圧グリップの回し操作により前記付勢部材による加圧力を調整する加圧調整手段を備えることを特徴とする請求項１記載の押圧治療具。
【請求項３】
本体部と、本体部の先端支持部内に前後に摺動可能に支持されるとともに被験者の治療部位に押し当てる押圧部を先端に備える押圧軸と、本体部の後端に装着される押圧グリップと、本体部の内部で押圧軸の後方に配置される第１付勢部材と、本体部の内部で押圧軸の後方に配置される衝突軸と、衝突軸を本体部の内部の停止位置に停止させるストッパーと、本体部の内部で衝突軸の後方に配置される第２付勢部材を備え、前記押圧軸が、本体部の先端支持部内に前後に摺動可能に支持される軸本体部と、軸本体部に着脱可能に支持されるとともに先端に押圧部を備える軸先端部を備え、前記押圧グリップの押圧操作によりストッパーを解除して第２付勢部材により衝突軸を押圧軸の後端に衝突させることを特徴とする押圧治療具。
【請求項４】
押圧グリップの回し操作により前記第２付勢部材による加圧力を調整する加圧調整手段を備えることを特徴とする請求項３記載の押圧治療具。
【請求項５】
衝突後の衝突軸を元の停止位置に復帰させる第３付勢部材を備えることを特徴とする請求項３または請求項４記載の押圧治療具。
【請求項６】
前記本体部に、前記押圧グリップによる押圧操作を補助するための補助グリップを備えることを特徴とする請求項３ないし請求項５のいずれか一項に記載の押圧治療具。
【発明の詳細な説明】
【技術分野】
【０００１】
本発明は、身体の治療部位に先端部を押し当てて骨格矯正等を行う押圧治療具に関するものである。
【背景技術】
【０００２】
従来より、この種の治療に用いる押圧具として、球状の把持体と、内部が中空のパイプ状の本体と、本体内に収容されたコイルバネと、治療対象の患部に力を加える押圧軸から構成される押圧具（特許文献１）が知られている。
【先行技術文献】
【特許文献】
【０００３】
【特許文献１】実用新案登録第３１９１３４０号公報
【発明の概要】
【発明が解決しようとする課題】
【０００４】
しかしながら、特許文献１の押圧具は、押圧軸が容易に交換できる構造ではなく、別の押圧軸と交換するには本体から各部品を分解して再び組立てる必要があり、このため、実質的には治療の部位や用途が限定されてしまい、そのため使い勝手が必ずしもよくないという課題があった。
【０００５】
本発明は、上記課題に鑑みてなされたもので、治療部位をピンポイントでかつ速やかに押圧して治療することができ、使い勝手に優れた押圧治療具を提供することを目的とする。
【課題を解決するための手段】
【０００６】
本発明に係る押圧治療具は、本体部と、本体部の先端支持部内に前後に摺動可能に支持されるとともに被験者の治療部位に押し当てる押圧部を先端に備える押圧軸と、本体部の後端に装着される押圧グリップと、本体部の内部で押圧軸の後方に配置される付勢部材を備え、前記押圧軸が、本体部の先端支持部内に前後に摺動可能に支持される軸本体部と、軸本体部に着脱可能に支持されるとともに先端に押圧部を備える軸先端部を備えることを第１の特徴とする。
【０００７】
本発明に係る押圧治療具は、押圧グリップの回し操作により前記付勢部材による加圧力を調整する加圧調整手段を備えることを第２の特徴とする。
【０００８】
本発明に係る押圧治療具は、本体部と、本体部の先端支持部内に前後に摺動可能に支持されるとともに被験者の治療部位に押し当てる押圧部を先端に備える押圧軸と、本体部の後端に装着される押圧グリップと、本体部の内部で押圧軸の後方に配置される第１付勢部材と、本体部の内部で押圧軸の後方に配置される衝突軸と、衝突軸を本体部の内部の停止位置に停止させるストッパーと、本体部の内部で衝突軸の後方に配置される第２付勢部材を備え、前記押圧軸が、本体部の先端支持部内に前後に摺動可能に支持される軸本体部と、軸本体部に着脱可能に支持されるとともに先端に押圧部を備える軸先端部を備え、前記押圧グリップの押圧操作によりストッパーを解除して第２付勢部材により衝突軸を押圧軸の後端に衝突させることを第３の特徴とする。
【０００９】
本発明に係る押圧治療具は、押圧グリップの回し操作により前記第２付勢部材による加圧力を調整する加圧調整手段を備えることを第４の特徴とする。
【００１０】
本発明に係る押圧治療具は、衝突後の衝突軸を元の停止位置に復帰させる第３付勢部材を備えることを第５の特徴とする。
【００１１】
本発明に係る押圧治療具は、前記本体部に、前記押圧グリップによる押圧操作を補助するための補助グリップを備えることを第６の特徴とする。
【発明の効果】
【００１２】
以上説明したように、本発明の押圧治療具によると、幼児からお年寄りに至るまで、被験者の治療部位をピンポイントでかつ速やかに押圧して治療することができ、また、押圧軸から軸先端部を着脱可能とすることで、治療毎に適した軸先端部を速やかに交換し、様々な治療に対応させることができ、これによって使用勝手に優れるという効果を奏する。さらには、押圧グリップを回し操作して、被験者や治療部位に適した押圧力に容易に調整できるという効果を奏する。
【図面の簡単な説明】
【００１３】
【図１】本発明に係る第１実施形態を示すもので（Ａ）は押圧治療具の正面図、（Ｂ）は押圧治療具の側面図、
【図２】図１に示す押圧治療具の断面図を示す図、
【図３】本発明に係る第２実施形態を示すもので（Ａ）は押圧治療具の正面図、（Ｂ）は押圧治療具の側面図、
【図４】図３に示す押圧治療具の断面図を示す図、
【図５】図３に示す押圧治療具の作用を示す図である。
【発明を実施するための形態】
【００１４】
以下、本発明を実施するための最良の形態について図面を参照しながら説明する。
【００１５】
図１および図２は本発明に係る押圧治療具の第１実施形態を示すもので、図１は押圧治療具の外観図、図２はその断面図を示す。これらの図において符号Ｓ１は押圧治療具を示している。図２の断面図は断面形状が理解しやすいように斜線を省略してある。
【００１６】
押圧治療具Ｓ１は、図１および図２に示すように、本体部１００と、本体部１００の先端支持部１０１内に前後に摺動可能に支持される押圧軸１１０と、本体部１００の後端部１０２に装着される押圧グリップ１２０と、本体部１００の内部で押圧軸１１０の後端と押圧グリップ１２０との間に介在される加圧スプリング１３０を備えた構成とされている。
【００１７】
本体部１００は金属製からなり、本体部１００の先端支持部１０１には、押圧軸１１０を支持する支持孔１０３が軸方向に設けられている。本体部１００の後端部１０２には押圧グリップ１２０のグリップ本体１２１が収容配置される凹部１０４が設けられている。凹部１０４と支持孔１０３の間は互いに連通しており、凹部１０４の内径よりも小径であるが支持孔１０３の内径よりも大径であるスプリング室１０５が設けられている。
【００１８】
スプリング室１０５には加圧スプリング１３０が収容配置されるとともに、スプリング室１０５の後端寄りにねじ部１０６を介して押圧グリップ１２０の先端装着部１２３が螺合により装着されている。
【００１９】
押圧軸１１０は、被験者の患部や治療部位（骨格や軟部組織）に押し当てるプッシャー（押圧部）１１１を備えており、支持孔１０３内に収容配置される軸本体部１１２と、軸本体部１１２の嵌合凹部１１２Ａに係合手段（Ｏリング）１１４を介して着脱可能に支持される軸先端部１１３から構成されている。軸本体部１１２は後端寄りに大径部１１２Ｂと小径軸部１１２Ｃが設けられ、これら大径部１１２Ｂと小径軸部１１２Ｃはスプリング室１０５内に収容配置されている。
【００２０】
プッシャー１１１は軸先端部１１３の先端に着脱可能に取り付けられている。プッシャー１１１はゴム製からなり、長期繰り返し使用による劣化等に伴って交換できるようになっている。係合手段（Ｏリング）１１４は、軸本体１１２の嵌合凹部１１２Ａの内周に設けられた係合用凹部に対し内側からの付勢により係合できるようになっている。
【００２１】
押圧グリップ１２０は、手で掴んで押圧操作する押圧面１２１Ａを有する樹脂製のグリップ本体１２１と、グリップ本体１２１に装着されるゲージリング１２２と、ゲージリング１２２を介してグリップ本体１２１に固定された凸状の先端装着部１２３から構成されている。先端装着部１２３はスプリング室１０５にねじ部（雌ねじ部と雄ねじ部からなる）１０６を介して螺合されており、先端装着部１２３のグリップ本体１２１寄りに前記スプリング室１０５の内径よりも外径が大きい大径部１２４が形成されている。
【００２２】
加圧スプリング１３０は、スプリング室１０５において、軸本体部１１２の大径部１１２Ｂの後面と、押圧グリップ１２０の先端装着部１２３の先端凹部１２３Ａとの間に配置されている。そして、押圧グリップ１２０を一方向（図１（Ａ）の時計回り）に回して先端装着部１２３を前進させることにより、加圧スプリング１３０のばね力を強くし、押圧グリップ１２０を他方向（図１（Ａ）の反時計回り）に回して先端装着部１２３を後退させることにより、加圧スプリング１３０のばね力を弱くし、押圧グリップ１２０の押圧操作時の加圧力を調整できるようになっている。ここでスプリング室１０５の後端に螺合される先端装着部１２３が加圧調整手段を構成する。先端凹部１２３Ａの底面と軸本体部１１２の小径軸部１１２Ｃの間は隙間Ｓが設けられている。
【００２３】
次に、以上のように構成された押圧治療具Ｓ１の使用方法について述べる。
【００２４】
押圧治療具Ｓ１を使用するには、押圧グリップ１２０を握り、次いで、図２に示すように先端のプッシャー１１１を被験者の身体Ｂの治療部位（骨格および軟部組織のポイント）に位置決めし、最後にプッシャー１１１を治療部位に押し込み、数秒間から１分半程度、持続圧迫させる。押圧グリップ１２０を押すと、加圧スプリング１３０が圧縮されるとともに、加圧スプリング１３０のばね力が押圧軸１１０から先端のプッシャー１１１に伝達され、先端のプッシャー１１１から被験者の治療部位に対し適度な押圧力が加えられる。
【００２５】
本実施形態の押圧治療具Ｓ１を用いることで、幼児からお年寄りに至るまで、治療部位（骨格および軟部組織）をピンポイントでかつ速やかに矯正治療することができる。また、本実施形態の押圧治療具Ｓ１によると、押圧グリップ１２０を回し操作することで、加圧スプリング１３０による加圧力を容易に調整することができる。
【００２６】
さらに、図１に示すように、押圧軸１１０の軸先端部１１３を取り外し、他のパーツと交換することで、押圧治療具Ｓ１を多様な押圧治療に適用させることができる。交換する他のパーツとしては、先端がＬ型形状をなすＬ型先端パーツ（Ｌ型軸先端部）や、先端がＹ型形状をなすＹ型先端パーツ（Ｙ型軸先端部）等がある。
【００２７】
図３ないし図５は本発明に係る押圧治療具の第２実施形態を示すもので、これらの図において、符号Ｓ２は押圧治療具を示している。なお、前記第１実施形態で示す部材と同一部材には同一符号を付してその説明は省略する。また、図４および図５に示す断面図は断面形状が理解しやすいように斜線は省略してある。
【００２８】
押圧治療具Ｓ２は、図３および図４に示すように、本体部２００と、本体部２００の先端ユニット２００Ａの先端支持部２０１に前後に摺動可能に支持される押圧軸１１０と、本体部２００の後端ユニット２００Ｂの後端部２０２に装着される押圧グリップ２２０と、本体部２００の先端ユニット２００Ａの内部で押圧軸２１０の後端との間に介在される第１加圧スプリング２３０と、本体部２００の中間ユニット２００Ｃ内部で押圧軸２１０の後方に配置される衝突軸２４０と、本体部２００の後端ユニット２００Ｂ内部で押圧グリップ２２０と衝突軸２４０との間に介在される第２加圧スプリング２５０と、本体部２００の中間ユニット２００Ｃの後端部に固定された補助グリップ２６０を備える基本構成とされている。
【００２９】
本体部２００を構成する先端ユニット２００Ａ、後端ユニット２００Ｂ、中間ユニット２００Ｃはそれぞれ金属製からなる。先端ユニット２００Ａは、押圧軸１１０を支持する支持孔２０３が軸方向に設けられ、支持孔２０３の後方には、支持孔２０３の内径よりも大径の内径をもつ第１スプリング室２０４が設けられている。第１スプリング室２０４には、第１加圧スプリング２３０が収容配置されるとともに、第１スプリング室２０４の後端にはねじ部２０５を介して中間ユニット２００Ｃの筒状の先端装着部２０６が螺合により装着されている。
【００３０】
先端ユニット２００Ａの第１スプリング室２０４には押圧軸１１０の大径部１１２Ｂと小径軸部１１２Ｃが収容配置されており、第１加圧スプリング２３０によって押圧軸１１０に所定のばね力（初期加圧力）が付加されている。
【００３１】
中間ユニット２００Ｃは、衝突軸２４０を前後に摺動可能に支持する支持孔２０７が軸方向に設けられ、支持孔２０７の途中に衝突軸２４０を停止位置に停止させるストッパー２０８が設けられている。図示例のストッパー２０８は、衝突軸２４０の軸本体部２４３の周囲に設けられた係合凹部２４３Ａに係合する複数のボール２０８Ａと各ボール２０８Ａを内側に付勢するスプリング２０８Ｂからなるボールプランジャから構成されている。図示例のストッパー２０８は、ボルト２０８Ｃにより一つのスプリング２０８Ｂの付勢力を調整し、ストッパー２０８全体の係合力を調整できるようになっている。
【００３２】
中間ユニット２００Ｃの後端部には、ハンドル形状の補助グリップ２６０が固定されるとともに支持孔２０７から続く後端開口部２０９に後端ユニット２００Ｂの先端部２１０が前後に摺動可能に嵌合されている。後端ユニット２００Ｂは、衝突軸２４０の軸本体部２４３を前後に摺動可能に支持する支持孔２１１が設けられるとともに、第２スプリング室２１２が設けられている。第２スプリング室２１２には、第２加圧スプリング２５０が収容配置されるとともに、ねじ部２１３を介して押圧グリップ２２０の先端装着部２２２が螺合により装着されている。
【００３３】
衝突軸２４０は、押圧グリップ２２０の押圧操作によって、ストッパー２０８の解除とともに第２加圧スプリング２５０の加圧力（反発力）によって先端の衝突部２４１を押圧軸１１０の後端に衝突させるもので、衝突部２４１を軸先端部２４２の先端に備えるとともに、軸本体部２４３の後端に後端ユニット２００Ｂの第２スプリング室２１２に収容配置される大径部２４３Ｂを備えている。また、支持孔２０７の先端側には第３スプリング室２１４が設けられ、第３スプリング室２１４には、衝突動作後の衝突軸２４０を元の停止位置に後退させるリターンスプリング２７０が収容配置されている。
【００３４】
押圧グリップ２２０は、ハンドル形状のグリップ本体２２１と、グリップ本体２２１に固定された先端装着部２２２から構成されている。先端装着部２２２はねじ部２１３を介して後端ユニット２００Ｂの第２スプリング室２１２の後端に螺合されている。そして、後端ユニット２００Ｂに対し、押圧グリップ２２０を一方向（図３（Ａ）の時計回り）に回して先端装着部２２２を前進させることにより、第２加圧スプリング２５０の加圧力を強くし、押圧グリップ２２０を他方向（図３（Ａ）の反時計回り）に回して先端装着部２２２を後退させることにより、第２加圧スプリング２５０の加圧力を弱くし、これにより第２加圧スプリング２５０を加圧調整できるようになっている。押圧グリップ２２０の先端装着部２２２は加圧調整手段を構成する。
【００３５】
なお、第１加圧スプリング２３０についても、先端ユニット２００Ａに対し、中間ユニット２００Ｃを（補助グリップ部２６０のハンドル操作等により）一方向（図３（Ａ）の時計回り）に回して先端装着部２０６を前進させることにより、第１加圧スプリング２３０の加圧力を強くし、中間ユニット２００Ｃを他方向（図３（Ａ）の反時計回り）に回して先端装着部２０６を後退させることにより、第１加圧スプリング２３０の加圧力を弱くし、これにより第１加圧スプリング２３０を加圧調整できるようになっている。中間ユニット２００Ｃの先端装着部２０６は加圧調整手段を構成する。衝突軸２４０の衝突部２４１と軸本体部１１２の小径軸部１１２Ｃの間は隙間Ｓが設けられている。
【００３６】
次に、以上のように構成された押圧治療具Ｓ２の使用方法について述べる。
【００３７】
以上の押圧治療具Ｓ２を使用するには、押圧グリップ２２０および補助グリップ２６０を握り、次いで図４に示すように先端のプッシャー１１１を被験者の身体Ｂの治療部位（骨および軟部組織のポイント）に位置決めし、最後に押圧グリップ２２０を押し込んで、図５に示すように、衝突軸２４０を押圧軸１１０に衝突させ、これによりプッシャー１１１を治療部位に押し込み、圧迫する。
【００３８】
押圧グリップ２２０を押すと、第１加圧スプリング２３０が圧縮されて押圧軸１１０の先端のプッシャー１１１が初期の加圧力で治療部位に押し込まれるとともに、第２加圧スプリング２５０が圧縮されて押圧グリップ２２０の押し込み途中で、図５に示すように、ストッパー２０８が解除され、圧縮された第２加圧スプリング２５０の反発力によって衝突軸２４０の先端の衝突部２４１が押圧軸１１０の後端（小径軸部１１２Ｃ）にバチンと衝突する。衝突軸２４０の衝突力が押圧軸１１０に伝達されると、先端のプッシャー１１１が被験者の身体Ｂの治療部位をさらに押し込み、圧迫する。
【００３９】
衝突軸２４０の衝突後は、リターンスプリング２７０によって衝突軸２４０が元の停止位置に後退するとともにストッパー２０８により再び保持され、次の治療に備えることができる。
【００４０】
本実施形態の押圧治療具Ｓ２を用いることで、押圧治療具Ｓ１と同様に、幼児からお年寄りに至るまで、被験者の治療部位をピンポイントでかつ速やかに矯正治療することができる。また、本実施形態の押圧治療具Ｓ２によると、押圧グリップ２２０を回し操作することで、第２スプリング２５０による加圧力を容易に調整することができる。
【００４１】
さらに、図３に示すように、押圧軸１１０の軸先端部１１３を取り外して、他のパーツと交換することで、押圧治療具Ｓ２についても、多様な押圧治療に適用させることができる。交換する他のパーツとしては先端がＬ型形状をなすＬ型先端パーツ（Ｌ型軸先端部）や、先端がＹ型形状をなすＹ型先端パーツ（Ｙ型軸先端部）等がある。
【００４２】
かくして、本発明の押圧治療具によると、被験者の治療部位をピンポイントでかつ速やかに押圧して治療することができ、また、様々な矯正治療に対応可能で、使用勝手のよい押圧治療具を実現できるようになった。
【産業上の利用可能性】
【００４３】
本発明に係る押圧治療具は、身体の治療部位に先端部を押し当てて主に骨格矯正等を行う治療具として幅広く利用可能である。
【符号の説明】
【００４４】
１００，２００  本体部
１０１，２０１  先端支持部
１０２，２０２  後端部
１０３，２０３，２０７，２１１  支持孔
１０４  凹部
１０５  スプリング室
１０６，２０５，２１３  ねじ部
１１０  押圧軸
１１１  プッシャー
１１２，２４２  軸本体部
１１２Ａ  嵌合凹部
１１２Ｂ，１２４  大径部
１１２Ｃ  小径軸部
１１３，２４３  軸先端部
１１３Ａ  軸部
１１４  Ｏリング
１２０，２２０  押圧グリップ
１２１，２２１  グリップ本体
１２１Ａ  押圧面
１２２  ゲージリング
１２３，２０６，２２２  先端装着部（加圧調整手段）
１２３Ａ  先端凹部
１３０  加圧スプリング（付勢部材）
２００Ａ  先端ユニット
２００Ｂ  後端ユニット
２００Ｃ  中間ユニット
２０４  第１スプリング室
２１０  先端部
２０８  ストッパー
２０９  後端開口部
２１２  第２スプリング室
２１４  第３スプリング室
２３０  第１加圧スプリング（第１付勢部材）
２４０  衝突軸
２４１  衝突部
２５０  第２加圧スプリング（第２付勢部材）
２６０  補助グリップ部
２７０  リターンスプリング（第３付勢部財）
Ｓ１，Ｓ２  押圧治療具
【図１】
2018000429.tif 000003
【図２】
2018000429.tif 000004
【図３】
2018000429.tif 000005
【図４】
2018000429.tif 000006
【図５】
2018000429.tif 000007
【手続補正書】
【提出日】平成28年11月24日(2016.11.24)
【手続補正１】
【補正対象書類名】特許請求の範囲
【補正対象項目名】請求項１
【補正方法】変更
【補正の内容】
【請求項１】
本体部と、本体部の先端支持部内に前後に摺動可能に支持されるとともに被験者の治療部位に押し当てる押圧部を先端に備える押圧軸と、本体部の後端に装着されるとともに本体部よりも大径で側周面方向に連続する凹凸が形成された押圧グリップと、本体部の内部で押圧軸の後方に配置される付勢部材を備え、前記押圧軸が、本体部の先端支持部内に前後に摺動可能に支持される軸本体部と、軸本体部にＯリングからなる係合手段を介して着脱可能に支持されるとともに先端に押圧部を備える軸先端部を備えることを特徴とする押圧治療具。
【手続補正２】
【補正対象書類名】明細書
【補正対象項目名】０００６
【補正方法】変更
【補正の内容】
【０００６】
本発明に係る押圧治療具は、本体部と、本体部の先端支持部内に前後に摺動可能に支持されるとともに被験者の治療部位に押し当てる押圧部を先端に備える押圧軸と、本体部の後端に装着されるとともに本体部よりも大径で側周面方向に連続する凹凸が形成された押圧グリップと、本体部の内部で押圧軸の後方に配置される付勢部材を備え、前記押圧軸が、本体部の先端支持部内に前後に摺動可能に支持される軸本体部と、軸本体部にＯリングからなる係合手段を介して着脱可能に支持されるとともに先端に押圧部を備える軸先端部を備えることを第１の特徴とする。